(57)【特許請求の範囲】
【請求項１】
内部の空間を浄化する空気浄化装置が連通された、ボトムプレートが変形するベッドに設けられる隔離用カバーであって、
該隔離用カバーは、
天板シートと、ベースシートと、該ベースシートと前記天板シートとの間を連結する側方シートと、を備えており、
前記ベースシートは、
前記ボトムプレートが変形した際に、前記側方シートとの間に外部と連通する開口が形成されない構造を有しており、
該ベースシートには、
前記ボトムプレートを挿通しうる開口が形成されており、
該開口を塞ぐ複数枚のシートを有しており、
該複数枚のシートは、
前記開口と同じ形状に形成され、前記ボトムプレートの足元側に位置する端部が、該端部と対向する前記側方シートと連結された上面シートと、
該上面シートにおける前記ボトムプレートの頭部側の端部と該端部と対向する前記側方シートとの間を連結する頭部側シートと、
前記上面シートの側方の両端部と、該側方の両端部とそれぞれ対向する前記側方シートとの間を連結する側面シートと、を有している
ことを特徴とする隔離用カバー。
【請求項２】
前記空気浄化装置は、
隔離用カバー内部の空間の気体を吸引し浄化して排出するものであり、
気体を吸引する吸引部と、
該吸引部と外部との間を連通する連通通路を有し、該連通通路内に充填されたフィルタによって該吸引部によって吸引される気体を浄化する浄化部と、
該浄化部によって浄化された気体を排出する排気部と、を備えており、
前記浄化部は、
前記吸引部および前記排気部に対して着脱可能に連結されており、
該浄化部には、
前記連通通路と前記吸引部との間を連通する連通孔が形成されており、
前記吸引部には、
前記連通孔を通して前記浄化部の連通通路内のフィルタに紫外線を照射する紫外線照射部が設けられている
ことを特徴とする請求項１記載の隔離用カバー。
【請求項３】
前記吸引部は、
中空であって前記連通孔を通して前記連通通路に連通された、内部に前記連通通路を通して気体を吸引する吸引手段が設けられた吸引手段収容部を有しており、
該吸引手段収容部には、
該吸引手段収容部内と外部とを分離する紫外線を透過する分離壁によって囲まれた前記紫外線照射部が収容される紫外線照射部配置空間が設けられており、
該紫外線照射部配置空間は外部と連通された着脱開口を有しており、
前記紫外線照射部は、
前記着脱開口と通して前記紫外線照射部配置空間内に挿入離脱可能に配設されている
ことを特徴とする請求項２記載の隔離用カバー。
【請求項４】
前記吸引部は、
中空であって前記連通孔を通して前記連通通路に連通された吸引手段収容部を有しており、
該吸引手段収容部内には、
前記連通通路を通して気体を吸引する吸引手段を備えており、
前記排気部が、
一端が前記吸引手段に連結された、前記吸引部と外部との間を連通する排気通路を備えており、
前記排気通路には、
気体を浄化する浄化液が含侵された浄化部材を有する浄化槽が連通されている
ことを特徴とする請求項２または３記載の隔離用カバー。
【請求項５】
前記浄化部材は、
一部が浄化槽内の浄化液に浸漬されている
ことを特徴とする請求項４記載の隔離用カバー。
【発明の詳細な説明】
【技術分野】
【０００１】
本発明は、吸引した空気を浄化して排出することができる空気浄化装置および隔離用カバーに関する。
【背景技術】
【０００２】
室内に設置され、簡易的に室内の空気を浄化する装置が開発されている（特許文献１）。
特許文献１の空気清浄機は、空気を吸い込むための吸い込み口と清浄化された空気を吹き出すための吹き出し口を有するケーシングを備えている。このケーシング内には、互いに隔離された第１室、第２室および第３室が設けられており、２室に設けられたファンによって、この順に空気が流れるようになっている。
そして、特許文献１の空気清浄機では、第１室に濾過機能を持つプレフィルタと高性能濾過機能を持つフィルタが設けられているので、循環用のファンを作動させれば、室内の空気をプレフィルタ等に通すことによって浄化できる。
しかも、特許文献１の空気清浄機は、第３室内の空気の一部を室外に排気する室内陰圧保持用のファンが設けられており、室内に戻す空気を少なくできるから、室内を陰圧に保つことができる。
【０００３】
しかるに、特許文献１の空気清浄機では、フィルタを交換する際には、吸い込み口が形成されているケーシングの下部外板パネルを取り外して、第１室から各フィルタを取りださなければならない。すると、第１室では、フィルタは被覆されていないので、かかる交換の際に、フィルタに付着しているウイルス等が飛散する可能性があり、飛散したウイルスに作業者が感染する可能性が高くなる。
【０００４】
一方、フィルタの交換を安全に実施できる空気浄化装置として、特許文献２に開示された技術がある。特許文献２の空気浄化装置は、ウイルスや細菌を捕捉して浄化する浄化部が、本体部と、本体部に着脱可能に設けられるフィルタが収容されたフィルタケースと、を備えており、フィルタケースが浄化部の本体部に着脱可能になっている。このため、フィルタをフィルタケースに収容したままを交換することができるから、フィルタ交換の際に、フィルタに付着しているウイルス等が飛散して飛散したウイルスに作業者が感染する可能性を低くすることができる。
【先行技術文献】
【特許文献】
【０００５】
【特許文献１】特開２００３−１８５２０４号公報
【特許文献２】特許第５２５８９３０号公報
【発明の概要】
【発明が解決しようとする課題】
【０００６】
特許文献２の空気浄化装置を使用すれば、フィルタ交換の安全性は高くできるが、ウイルスはフィルタに捕捉されているだけであるので、より安全性を高めた装置が求められている。
【０００７】
本発明は上記事情に鑑み、カバー内を外部から気密に隔離した状態に維持できる隔離用カバーを提供することを目的とする。
【課題を解決するための手段】
【０００８】
第１発明の隔離用カバーは、内部の空間を浄化する空気浄化装置が連通された、ボトムプレートが変形するベッドに設けられる隔離用カバーであって、該隔離用カバーは、天板シートと、ベースシートと、該ベースシートと前記天板シートとの間を連結する側方シートと、を備えており、前記ベースシートは、前記ボトムプレートが変形した際に、前記側方シートとの間に外部と連通する開口が形成されない構造を有しており、前記ベースシートには、前記ボトムプレートを挿通しうる開口が形成されており、該開口を塞ぐ複数枚のシートを有しており、該複数枚のシートは、前記開口と同じ形状に形成され、前記ボトムプレートの足元側に位置する端部が、該端部と対向する前記側方シートと連結された上面シートと、該上面シートにおける前記ボトムプレートの頭部側の端部と該端部と対向する前記側方シートとの間を連結する頭部側シートと、前記上面シートの側方の両端部と、該側方の両端部とそれぞれ対向する前記側方シートとの間を連結する側面シートと、を有していることを特徴とする。
第２発明の隔離用カバーは、第１発明において、前記空気浄化装置は、隔離用カバー内部の空間の気体を吸引し浄化して排出するものであり、該空気浄化装置は、気体を吸引する吸引部と、該吸引部と外部との間を連通する連通通路を有し、該連通通路内に充填されたフィルタによって該吸引部によって吸引される気体を浄化する浄化部と、該浄化部によって浄化された気体を排出する排気部と、を備えており、前記浄化部は、前記吸引部および前記排気部に対して着脱可能に連結されており、該浄化部には、前記連通通路と前記吸引部との間を連通する連通孔が形成されており、前記吸引部には、前記連通孔を通して前記浄化部の連通通路内のフィルタに紫外線を照射する紫外線照射部が設けられていることを特徴とする。
第３発明の隔離用カバーは、第２発明において、前記吸引部は、中空であって前記連通孔を通して前記連通通路に連通された、内部に前記連通通路を通して気体を吸引する吸引手段が設けられた吸引手段収容部を有しており、該吸引手段収容部には、該吸引手段収容部内と外部とを分離する紫外線を透過する分離壁によって囲まれた前記紫外線照射部が収容される紫外線照射部配置空間が設けられており、該紫外線照射部配置空間は外部と連通された着脱開口を有しており、前記紫外線照射部は、前記着脱開口と通して前記紫外線照射部配置空間内に挿入離脱可能に配設されていることを特徴とする。
第４発明の隔離用カバーは、第２または第３発明において、前記吸引部は、中空であって前記連通孔を通して前記連通通路に連通された吸引手段収容部を有しており、該吸引手段収容部内には、前記連通通路を通して気体を吸引する吸引手段を備えており、前記排気部が、一端が前記吸引手段に連結された、前記吸引部と外部との間を連通する排気通路を備えており、前記排気通路には、気体を浄化する浄化液が含侵された浄化部材を有する浄化槽が連通されていることを特徴とする。
第５発明の隔離用カバーは、第４発明において、前記浄化部材は、一部が浄化槽内の浄化液に浸漬されていることを特徴とする。
【発明の効果】
【０００９】
第１発明によれば、リクライニング機能等を有するベッドであっても、カバー内を外部から気密に隔離した状態に維持でき、カバー内の空気を空気浄化装置によって浄化できる。
第２発明によれば、吸引部によって隔離用カバー内部の空間の気体を吸引すれば、浄化部のフィルタによって空気を浄化して、排気部から排出することができる。しかも、浄化部が吸引部および排気部に対して着脱可能であるから、フィルタを交換する際には、浄化部ごと吸引部および排気部から取り外して交換することができる。つまり、フィルタを浄化部内に収容されたまま、フィルタを交換できるので、フィルタに付着しているウイルス等が飛散して飛散することを防止できる。しかも、浄化部のフィルタには、紫外線照射部から紫外線が照射されているので、フィルタに捕捉しているウイルスを死滅させることができる。したがって、ウイルスに作業者が感染する可能性を低くすることができる。
第３発明によれば、紫外線照射部を簡単に交換できるし、紫外線照射部の汚損を防止できる。
第４、第５発明によれば、気体を浄化液に接触させてから外部に排出するので、空気をより浄化した状態で外部に排出することができる。
【図面の簡単な説明】
【００１０】
【図１】（Ａ）は本実施形態の空気浄化装置１の概略斜視図であり、（Ｂ）、（Ｃ）は本実施形態の空気浄化装置１の使用状況の説明図である。
【図２】本実施形態の空気浄化装置１の概略縦断面図である。
【図３】図２のIII−III断面矢視図である。
【図４】（Ａ）は図３のIVA−IVA断面矢視図であり、（Ｂ）は図３のIVB−IVB断面矢視図である。
【図５】他の実施形態の空気浄化装置１の概略縦断面図である。
【図６】図５のVI−VI断面矢視図である。
【図７】（Ａ）は図６のVIIA−VIIA断面矢視図であり、（Ｂ）は図６のVIIB−VIIB断面矢視図である。
【図８】本実施形態の空気浄化装置１の使用状態の概略説明図である。
【図９】本実施形態の空気浄化装置１の使用状況の説明図である。
【図１０】浄化槽５０の概略説明図であり、（Ａ）は（Ｂ）のＡ−Ａ線断面矢視図であり、（Ｂ）は（Ａ）のＢ−Ｂ線断面矢視図である。
【図１１】図９（Ｂ）のカバーＣ１の他の例であってカバーＣ１のみを示した概略説明図であって、はボトムプレートＢＰの背もたれおよび足置きが上昇した状態における斜視図である。
【図１２】（Ａ）は（Ｂ）のＡ−Ａ線断面図であり、（Ｂ）はボトムプレートＢＰの背もたれおよび足置きが上昇した状態におけるカバーＣ１を足元側から見た図である。
【発明を実施するための形態】
【００１１】
つぎに、本発明の実施形態を図面に基づき説明する。
本発明の空気浄化装置は、フィルタによって空気などの気体を浄化する装置であって、気体を浄化する機能を高くでき、フィルタ交換を安全に実施することができるようにしたことに特徴を有している。
本発明の空気浄化装置によって浄化する気体は空気に限られないが、以下では、空気を浄化する場合を説明する。
【００１２】
まず、本発明の空気浄化装置の詳細を説明する前に、本発明の空気浄化装置の使用状況を説明する。
【００１３】
図１（Ａ）に示すように、本実施形態の空気浄化装置１は、吸引した空気を浄化する浄化部１０と、この浄化部１０で浄化された空気を排出する排気部２０とを備えている。
なお、空気浄化装置１は、浄化部１０内に空気を吸引しその空気を、排気部２０を通して外部に排出させる、例えば、ポンプやブロア等の吸引手段１５（図２参照）も備えている。
【００１４】
図１（Ｂ）、（Ｃ）において、符号Ｒは隔離室を示している。この隔離室Ｒは、外部と気密に隔離された空間を内部に有しており、この空間内に、ウイルス等に感染した患者を隔離したり、逆に、抵抗力の弱った人を隔離したりしておくために使用されるものである。
【００１５】
図１（Ｂ）では、ウイルス等に感染した患者を隔離しておく隔離室Ｒ、つまり、外部に空気を排出させない陰圧室として使用した例を示している。かかる用途で隔離室Ｒを使用する場合には、配管Ｐ等を介して浄化部１０に設けられている吸引口１０ａと隔離室Ｒ内の空間とが連通される一方、吸引した空気が排気部２０の排出口２０ｂから隔離室Ｒ外に排出されるように、本実施形態の空気浄化装置１を設置する。すると、吸引手段１５によって隔離室Ｒ内の空気を吸引すれば、隔離室Ｒ内を陰圧にすることができる。しかも、隔離室Ｒから吸引した空気は、浄化部１０のフィルタ１２によって浄化されてから外部に排出されるので、ウイルス等が隔離室Ｒ外に排出されることを防ぐことができる。
【００１６】
ウイルス等に感染した患者を隔離しておく場合、以下の図９（Ｂ）に示すように、患者のベッドを包むようにカバーＣ１を設けてもよい。例えば、ベッドの周囲にフレームを設けて、ベッドの上方に天板シートを設ける。この天板シートからベッドの側方に垂れるように天板シートと連結された側方シートを設ける。つまり、側方シートによってベッドが囲われた状態となるように、側端縁同士を連結した状態の側方シートを設ける。また、側方シートの下端縁を繋ぐようにベースシートを設ける。このベースシートをベッドの床板上に配置すれば、ベッドの上方に、天板シート、側方シート、ベースシートで囲まれた空間が形成される。この空間内にマットや布団を設ければ、空間内に患者を収容することができる。かかるカバーＣ１を設ければ、個室としなくても、患者を他の患者や、部屋の他の領域から隔離することができる。なお、カバーＣ１の一部に、カバーＣ１内と外部との間を連通遮断できる連通部を設けておけば、連通部を通して、医師などが患者の状態を確認することができる。また、図示しないが、カバーＣ１と遮断連通可能な前室を設けてもよい。その場合には、前室は、連通部に連通されるように設けられる。前室は、配管等を介してカバーＣ１内とは別の浄化部１０に連通されていることが望ましい。この場合、カバーＣ１内と前室内とを別々に浄化できる。
【００１７】
また、ベッドが背もたれや足のリクライニング機能を有するボトムプレートＢＰを有している場合には、カバーＣ１は、図１１、図１２のような構造としてもよい。
【００１８】
図１１、図１２に示すように、カバーＣ１は、天板シートＳ１および側方シートＳ２と、ベースシートＳ３と、を有しているが、ベースシートＳ３は、ボトムプレートＢＰの形状が変化してもその変化に追従できるように形成されている。言い換えれば、ベースシートＳ３は、ボトムプレートＢＰが変形した際に、側方シートＳ２との間に外部と連通する開口が形成されない構造を有している。
【００１９】
具体的には、ベースシートＳ３には、ボトムプレートＢＰを収容できる開口Ｓｈが形成されている。この開口Ｓｈは、ボトムプレートＢＰを通すことができる大きさに形成される。
【００２０】
なお、開口Ｓｈの周囲には、側方シートＳ２と連結された連結部Ｓａが設けられる。
また、連結部Ｓａを設けず、後縦する上面シートＳｂ、側面シートＳｃおよび頭部側シートＳｄが直接側方シートＳ２と連結されてもよい。この場合、開口Ｓｈは、側方シートＳ２の下端縁によって形成されることになる。
【００２１】
開口Ｓｈには、上面シートＳｂと、側面シートＳｃと、頭部側シートＳｄと、が設けられる。
【００２２】
上面シートＳｂは、開口Ｓｈとほぼ同じ大きさ同じ形状に形成されたシートであり、ボトムプレートＢＰが伸びた状態になると、開口Ｓｈにほぼ重なる大きさ・形状に設けられている。
【００２３】
側面シートＳｃは、上面シートＳｂの両側端（図１２（Ｂ）では左右の端縁）と連結部Ｓａとの間を繋ぐように設けられるシートである。つまり、ボトムプレートＢＰの形状が変化した際に、上面シートＳｂは連結部Ｓａの位置から上昇するが、その際に上面シートＳｂの両側端と、両側端の側方に位置する連結部Ｓａとの間にできる隙間を塞ぐように側面シートＳｃは設けられている。
【００２４】
頭部側シートＳｄは、上面シートＳｂの頭部側の端縁（図１２（Ａ）では左側の端縁）と頭部側に位置する連結部Ｓａとの間を繋ぐように設けられるシートである。つまり、ボトムプレートＢＰの背もたれが昇降した際に、上面シートＳｂの頭部側の端縁は連結部Ｓａの位置から上昇するが、その際に上面シートＳｂの頭部側の端縁と頭部側に位置する連結部Ｓａとの間にできる隙間を塞ぐように頭部側シートＳｄが設けられている。なお、上面シートＳｂの足元側の端縁（図１２（Ａ）では右側の端縁）は、足元側に位置する連結部Ｓａと隙間ができないように連結されている。
【００２５】
カバーＣ１は、以上のような構造を有しているので、ボトムプレートＢＰの形状が変化するベッドに設けても、ボトムプレートＢＰ上に上面シートＳｂを配置すれば、カバーＣ１内の空間を外部から気密に遮断した状態に維持できる。つまり、ボトムプレートＢＰの形状の変化に合わせてベースシートＳ３の上面シートＳｂや側面シートＳｃが追従して変形できるので、ボトムプレートＢＰの形状が変化しても、カバーＣ１内の空間を外部から気密に遮断した状態に維持できる。
【００２６】
なお、ボトムプレートＢＰが下降して平坦になった場合には、側面シートＳｃや頭部側シートＳｄは、折り畳まれるなどして、ボトムプレートＢＰの下方や連結部Ｓａの領域に収容される。
【００２７】
また、図９（Ｃ）,（Ｄ）に示すように、カバーＣ１内に患者の上半身を覆うことができる可動カバーＣ２を設けてもよい。具体的には、プラスチックなどの天板を設け、その一端（図９（Ｃ）では左端）を側方シートＳｃに上下方向揺動可能に連結する。なお、この天板には、外部から引っ張ることによって、天板を側方シートＳｃと連結された一端を支点として揺動させるひもＬを設けておく。また、天板における側方シートＳｃと連結されている端縁以外の３つの端縁にカバーシートを垂らすように設ける。すると、３枚のカバーシートと天板と側方シートＳｃによって囲まれた、下端が開口した空間を有する可動カバーＣ２を形成することができる。この可動カバーＣ２は、天板を下方に揺動すると、可動カバーＣ２の空間に患者の上半身が入る位置に配設する。そして、空気浄化装置１の浄化部１０と連通された配管Ｐを、その開口が可動カバーＣ２の空間内に位置するように設ける。すると、可動カバーＣ２内の空気がカバーＣ１内にも漏れないので、ウイルス等が隔離室Ｒ外に排出されることを防ぐことができる。また、カバーＣ２を降ろせば患者の上半身をカバーＣ１内から隔離できるし、カバーＣ２を上げれば患者の上半身をカバーＣ１内に露出させることができるので、医師などが患者の状態を確認することができる。
【００２８】
図１（Ｃ）では、抵抗力の弱った人を隔離しておく隔離室Ｒ、つまり、外部から空気が入らない陽圧室として使用した例を示している。かかる用途で隔離室Ｒを使用する場合には、配管Ｐ等を介して排気部２０の排出口２０ｂと隔離室Ｒ内の空間とを連通する一方、浄化部１０の吸引口１０ａから外部の空気が吸引されるように、本実施形態の空気浄化装置１を設置する。すると、吸引手段１５によって外部の空気を吸引すれば、この空気を浄化してから隔離室Ｒ内に供給することができるし、隔離室Ｒ内が外部よりも高い圧力となるから隔離室Ｒ内に外気が入らないようにすることができる。
【００２９】
つまり、本実施形態の空気浄化装置１は、空気を吸引する吸引手段１５と、吸引した空気をフィルタ１２によって浄化する浄化部１０を備えているので、本実施形態の空気浄化装置１を隔離室Ｒに接続すれば、隔離室Ｒを、ウイルス等に感染した患者を隔離する陰圧室や、抵抗力の弱った人を隔離したりしておく陽圧室として機能させることができるのである。
【００３０】
また、本実施形態の空気浄化装置１の大きさはとくに限定されないが、例えば、本実施形態の空気浄化装置１を、そのサイズが、縦２００〜３００ｍｍ程度、横１５０〜２００ｍｍ程度、奥行き８０〜１２０ｍｍ程度、となるように形成すれば、人が背負って使用することも可能になるので好ましい。
【００３１】
例えば、ウイルス等が蔓延している地域やその他の有害な物質が存在する領域で作業を行う場合には、作業者が外気を直接吸わないように、または、作業者が外気と直接接触しないようにしなければならない。すると、図８に示すように全身を覆う防護服Ｗを着用するか、頭部を覆うマスクを着用することが必要になる。この場合、防護服Ｗ内やマスク内に空気を供給しなければならないが、本実施形態の空気浄化装置１を背負える大きさとすれば、本実施形態の空気浄化装置１から、防護服Ｗ内やマスク内に外気を浄化した空気を供給することができる。そして、本実施形態の空気浄化装置１の場合、外気を浄化して防護服Ｗ内やマスク内に供給しているので、ボンベなどに比べて長時間使用することが可能になり、作業時間の制限を少なくすることができるので、作業効率を向上させることができる。
【００３２】
なお、本実施形態の空気浄化装置１を背負える状態にする場合、空気浄化装置１をポリウレタンなどで形成されたカバー内に密封した状態で収容しておくことが好ましい。そして、防水性を有するファスナーなどによって、空気浄化装置１を入れるための開口を閉じることができるようにしておけば、作業後に防護服Ｗなどとともにカバーも消毒液等で殺菌することが可能となる。
【００３３】
また、本実施形態の空気浄化装置１は、後述する浄化部１０の吸引口１０ａや排気部２０の排出口２０ｂにホースや配管などを取り付けることができる取付管を設けておいてもよい（図２、図５参照）。すると、ホースや配管など着脱が容易になる。かかる取付管は、その一端に雄ネジを形成し、浄化部１０の吸引口１０ａや排気部２０の排出口２０ｂの内面に形成された雌ネジに螺合するようにしておけば、取付管を確実に取り付けておくことができるし、取付管自体の着脱も容易になるので、好ましい。
【００３４】
＜本実施形態の空気浄化装置１の説明＞
つぎに、本実施形態の空気浄化装置１の構造を説明する。
図２に示すように、本実施形態の空気浄化装置１は、浄化部１０と、排気部２０と、吸引手段１５と、を備えている。
【００３５】
＜排気部２０の説明＞
図２に示すように、排気部２０は、筒状に形成された中空な本体２１を備えている。この本体２１は、その軸方向の両端が閉じられており、その内部が、その軸方向に沿って伸びた分割プレート２０ｄによって、空間２０ｈと空間２０ｓに気密に分割されている（図３および図４（Ｂ））。
なお、本体２１の他端（図２および図４（Ｂ）では下端、以下、本体２１の下端という）は、板状の底板１６によって閉じられており、この底板１６は本体２１の側面から外方まで延びているが、その理由は後述する。
また、空間２０ｓは、後述する吸引手段１５を制御する機器や電源などが収容される空間である。
【００３６】
図２および図４（Ｂ）に示すように、本体２１内において、分割プレート２０ｄによって分割された一方の空間２０ｈは、本体２１の軸方向の一端（図２および図４（Ｂ）では上端、以下、上端という）に形成された排出口２０ｂによって、外部と連通されている。
また、本体２１の下端において、底板１６が外方まで延びている側面には、空間２０ｈと外部との間を連通する流入口２０ａが形成されている（図４（Ｂ）参照）。つまり、本体２１は、空間２０ｈによって流入口２０ａから排出口２０ｂまで連通する通路が形成されているのである。
【００３７】
なお、空間２０ｈ内には、空間２０ｈの３面、つまり、流入口２０ａが設けられている側面以外の側面には消音材２２が配置されている（図３参照）。
また、空間２０ｈの下端部には、流入口２０ａと対向する位置に傾斜壁２３が設けられている。この傾斜壁２３は、流入口２０ａ側から流入口２０ａ側と対向する側面に向かって上傾するように配設されている。この傾斜壁２３は、必ずしも設けなくてもよいが、かかる傾斜壁２３を設けておけば、流入口２０ａから空間２０ｈに流入した空気をスムースに排出口２０ｂに向かって流すことができるという効果が得られるので、好ましい。
【００３８】
＜浄化部１０の説明＞
図２および図４（Ａ）に示すように、底板１６において本体２１の側面から外方まで延びている部分の上面には、筒状に形成された中空な浄化部１０の本体１１が着脱可能に取り付けられている。
【００３９】
この本体１１は、排気部２０の本体２１とは異なり、その軸方向の一端（図２および図４（Ａ）では上端、以下、上端という）は閉じられているが、その軸方向の他端（図２および図４（Ａ）では下端、以下、下端という）は開放されている。
この本体２１の下端は、底板１６において本体２１の側面から外方まで延びている部分と嵌りあう形状に形成されており、その下端を底板１６に固定すると、下端の開口が底板１６によって閉じられ、かつ、その一の側面（図２では右方の側面）が排気部２０における流入口２０ａが形成された面と面接触するような形状に形成されている。
しかも、本体１１における排気部２０と密着する側面には、開口１０ｓが形成されている（図４（Ａ）参照）。この開口１０ｓの上端縁と側端縁（図４（Ａ）では左方の端縁）にのみ挿入壁１０ｃが形成されている。つまり、挿入壁１０ｃは、略Ｌ字状に形成されているのである（図４（Ａ）参照）。
この挿入壁１０ｃは、本体１１内および本体１１外にいずれも突出する部分を備えている。そして、本体１１外に突出している部分は、本体２１の下端を底板１６に取り付けたときに、本体２１の流入口２０ａに挿入でき、しかも、流入口２０ａの内端縁と接触する程度の大きさに形成されている。
【００４０】
つまり、浄化部１０は、挿入壁１０ｃを流入口２０ａに挿入するように移動させれば、浄化部１０を底板１６、つまり、排気部２０の本体２１に取り付けることができるのである。
また、浄化部１０を排気部２０から取り外す際には、挿入壁１０ｃが流入口２０ａから抜けるように本体１１を移動させた後、本体１１が底板１６から離間するように、言い換えれば、本体１１を上方に引き抜くように移動させれば、本体１１を排気部２０から取り外すことができるようになっているのである。
【００４１】
また、図２および図４（Ａ）に示すように、本体１１の上端には、本体１１内部の中空な空間１０ｈと外部との間を連通する吸引口１０ａが形成されている。
一方、本体１１の上端と下端との間には、流出口１０ｃよりも上端側に、支持プレート１３が設けられている。この支持プレート１３には、プレートの表裏を貫通する貫通孔１３ｈが形成されており、この貫通孔１３ｈによって空間１０ｈにおける支持プレート１３の上端側と下端側との間は連通されている。
【００４２】
図２および図４（Ａ）に示すように、本体１１の空間１０ｈにおいて、本体１１の上端と支持プレート１３との間の部分には、フィルタ１２が充填されている。つまり、本体１１の軸方向に沿って空間１０ｈ内を空気が流れるときには、その空気が必ずフィルタ１２を通過するようになっているのである。
【００４３】
フィルタ１２は、目の比較的荒い埃等を捕捉する除塵用フィルタと、ＨＥＰＡフィルタやセミＨＥＰＡフィルタ、ＵＬＰＡフィルタ等のように埃等に加えて細菌等も捕捉できる細菌等捕捉用フィルタとを備えており、吸引口１０ａから貫通孔１０ｂにむかって、除塵用フィルタ、細菌等捕捉用フィルタの順に配置されている。
なお、フィルタ１２は上記のごとき構成に限られず、使用する環境に合わせて最適な構成とすればよく、その組み合わせや並べる順番もとくに限定されない。
【００４４】
＜吸引手段１５の説明＞
そして、図２および図４（Ａ）に示すように、浄化部１０の本体１１を排気部２０の本体２１の底板１６を取り付けると、排気部２０の本体２１の底板１６との間に空間が形成されるように、浄化部１０の本体１１の支持プレート１３は設けられている。例えば、吸引手段収容部１５ｈの高さが、約５０〜６０ｍｍとなるように浄化部１０の本体１１の支持プレート１３は設けられている。この吸引手段収容部１５ｈ内には、底板１６の上面に吸引手段１５が設けられている。この吸引手段１５は、例えば、ブロア等の吸気口から吸引した空気を排気口に排出する機能を有するものである。この吸引手段１５の排気口には、配管１５ａが接続されており、この配管１５ａは、排気部２０の本体２１の流入口２０ａから本体２１の空間２０ｈ内に挿入されている。つまり、吸引手段１５から排出された空気は、本体２１の空間２０ｈ内に流入するようになっているのである。
【００４５】
＜紫外線照射部４０の説明＞
この吸引手段１５は、例えば、その高さが約３０〜４０ｍｍのものであり、吸引手段収容部１５ｈ内に配置されると、支持プレート１３との間に隙間ができる程度の大きさを有している。そして、吸引手段１５と支持プレート１３との間の隙間には、紫外線照射部４０が配置されている。この紫外線照射部４０は、紫外線を照射できる機能を有するものであり、支持プレート１３の貫通孔１３ｈからフィルタ１２に紫外線を照射できる位置に設けられている。
【００４６】
以上のごとき構造であるので、浄化部１０の本体１１を底板１６に固定した状態で吸引手段１５を作動させれば、浄化部１０の吸引口１０ａから本体１１の空間１０ｈ内に空気を吸引することができる。
すると、吸引された空気は、空間１０ｈ内のフィルタ１２を通過するので、フィルタ１２を通過する間に、空気中に含まれる埃等に加えてウイルスなどが捕捉されて吸引した空気は浄化される。
しかも、吸引手段収容部１５ｈ内には紫外線照射部４０が設けられているので、吸引手段収容部１５ｈにウイルスが漏れた場合でも、そのウイルスを紫外線によって死滅させることができる。
そして、フィルタ１２および紫外線によって浄化された空気は、吸引手段１５の排気口から排出され、排気部２０の本体２１の流入口２０ａを通って排気部２０の本体２１の空間２０ｈ内に流入し、排出口２０ｂから外部に排出される。
つまり、本実施形態の空気浄化装置１を作動させれば、フィルタ１２によって吸引した空気を浄化して排出することができるのである。
【００４７】
そして、本実施形態の空気浄化装置１では、浄化部１０はその本体１１が、底板１６および排気部２０に対して着脱可能である。つまり、本体１１内にフィルタ１２を収容したまま、本体１１ごとフィルタ１２を底板１６および排気部２０から着脱することができる。
すると、フィルタ１２を交換するときでも、フィルタ１２は吸引口１０ａと貫通孔１０ｂしか外気と触れることがない。
よって、フィルタ１２を交換する際に、フィルタ１２に付着しているウイルス等が飛散して飛散したウイルスに作業者が感染する可能性を低くすることができる。
しかも、浄化部１０のフィルタ１２には、紫外線照射部４０から紫外線が照射されているので、フィルタ１２に捕捉しているウイルスを死滅させることができる。したがって、フィルタ１２を交換する際に、ウイルスに作業者が感染する可能性をより低くすることができる。
【００４８】
しかも、本実施形態の空気浄化装置１では、浄化部１０の本体１１を取り外せば、吸引手段１５が露出することになる。すると、吸引手段１５を装置内に封入している場合に比べて、吸引手段１５のメンテナンス作業を容易かつ迅速に行うことができる。
なお、吸引手段１５が露出したときに、吸引手段１５が収容されていた空間の空気が外部に漏れることになるが、この空気はフィルタ１２を通過した浄化された空気であり、しかも、紫外線が照射されているので、外気を汚染することはない。同様に、吸引手段１５は浄化された空気のみを吸引しているので、吸引手段１５を外部に露出させても、外気を汚染することは無い。
【００４９】
上述した、本体１１の空間１０ｈにおいて、本体１１の上端と支持プレート１３との間の部分が、特許請求の範囲にいう連通通路に相当する。
また、上述した、本体２１の空間２０ｈが、特許請求の範囲にいう排気通路に相当する。
さらに、上述した、吸引手段１５および底板１６が、特許請求の範囲にいう吸引部に相当する。
【００５０】
なお、図１、図２、図４に示すように、浄化部１０の本体１１の上端と排気部２０の本体２１の上端とを連結するプレート１ａを設けておけば、両者の確実に固定できるが、このプレート１ａは設けなくてもよい。
【００５１】
また、浄化部１０の本体１１を排気部２０の本体２１に対して着脱可能としたので、両者間の接続部分、つまり、流入口２０ａと挿入壁１０ｃとの隙間から空気の漏れが生じる可能性がある。
しかし、上述したように、この隙間から漏れる空気は、フィルタ１２や紫外線によって浄化された空気であるので、漏れても外気を汚染する可能性はすくない。
しかも、挿入壁１０ｃは、その本体１１外に突出している部分が本体２１の流入口２０ａに挿入されており、しかも、この部分の外面は流入口２０ａの内端縁と接触するように形成されている。このため、流入口２０ａと挿入壁１０ｃとの隙間から空気の漏れは極力少なくすることができる。
なお、浄化部１０の本体１１の側面と排気部２０の本体２１の側面との間に、シール部材などを配置すれば、流入口２０ａと挿入壁１０ｃとの隙間から外部に空気が漏れることをより確実に防ぐことができるので、より好ましい。
【００５２】
＜空気浄化装置１の他の実施形態＞
上述した例では、浄化部１０の本体１１として、吸引手段１５を囲う部分も取り外しできるように構成しているものを説明したが、もちろん、吸引手段１５を囲う部分は底板１６に固定されていてもよい。
【００５３】
例えば、図５〜７に示すように、浄化部１０の本体部１１を、下端が底板１６に気密に固定された中空空間１１ｈを有する筒状のケースとする。なお、この場合、本体部１１を排気部２０の本体２１と一体に形成してもよい。
そして、本体部１１の中空空間に挿入離脱できるフィルタケース１４を設け、このフィルタケース１４内にフィルタ１２を収容しておく。すると、フィルタケース１４を着脱するだけで、フィルタ１２を交換することができる。
【００５４】
この場合、本体部１１の中空空間１１ｈ内に、中空空間１１ｈを、吸引手段１５を収容する吸引手段収容部１５ｈとフィルタケース１４が配置される空間１１ａとに分割する分離プレート１１ｄを設ける。そして、分離プレート１１ｄに両空間を連通する連通孔を形成する。
一方、フィルタケース１４は、その下端に連通孔に挿入し得る筒状の挿入部１４ｂを設ける。この挿入部１４ｂは、フィルタケース１４の下端から突出しており、その断面形状が連通孔の形状と相似形に形成されている。そして、連通孔に挿入すれば、吸引手段１５を収容する空間とフィルタケース１４を収容する空間とを気密に隔離できるような構造を有している。
例えば、図７に示すように、挿入部１４ｂを連通孔に挿入すると、挿入部１４ｂの外面が連通孔の内面と密着するように、挿入部１４ｂの外面および／または連通孔の内面に弾性を有するシール部材を設ければ、吸引手段１５を収容する空間とフィルタケース１４を収容する空間とを気密に隔離できる。
また、吸引手段収容部１５ｈ内に、パッキンを設けても、吸引手段収容部１５ｈと空間１１ａとを気密に隔離できる。具体的には、図７に示すように、本体１１の内面と挿入部１４ｂの外面との間を埋めるパッキン１４を設け、連通孔に挿入部１４ｂの先端部が挿入されると、その挿入部１４ｂの先端部が挿入される孔を形成しておく。この孔を、挿入部１４ｂの先端部と略相似形であるが若干小さいものとすれば、挿入部１４ｂの先端部にパッキン１４が密着するので、吸引手段収容部１５ｈと空間１１ａとをより確実に気密に隔離できる。
【００５５】
一方、フィルタケース１４の上面には吸引口１０ａとなる貫通孔を設ける。そして、この貫通孔の構造を、チューブなどが接続されるパイプＰＡと着脱できる構造とする。具体的には、パイプＰＡの一端（挿入端）に雄ネジを形成しておき、貫通孔の内面にこの雄ネジと螺合する雌ネジを形成しておく。
【００５６】
また、排気部２０の本体２１の排出口２０ｂの内面にも雌ネジを形成し、排出口２０ｂに取り付けられるパイプＰＢの一端（挿入端）にも雄ネジを形成しておく。
【００５７】
かかる構造とすれば、プレート１ａを被せて、パイプＰＡの一端をプレート１ａの孔に挿通しパイプＰＡの一端を貫通孔に螺合すれば、パイプＰＡとフィルタケース１４によってプレート１ａを挟んで、プレート１ａと浄化部１０の本体１１とを固定することができる。同様に、パイプＰＢの一端をプレート１ａの孔に挿通しパイプＰＢの一端を排気部２０の本体２１の排出口２０ｂに螺合すれば、パイプＰＢと排気部２０の本体２１によってプレート１ａを挟んで、プレート１ａに排気部２０の本体２１に固定することができる。つまり、プレート１ａを介して、フィルタケース１４を排気部２０の本体２１に固定することができる。
【００５８】
しかも、パイプＰＡ，ＰＢを、フィルタケース１４の貫通孔や排気部２０の本体２１の排出口２０ｂに螺合しているだけであるので、プレート１ａやフィルタケース１４を、浄化部１０の本体１１や排気部２０の本体２１に簡単に着脱することができる。
【００５９】
なお、図５〜図７に示すように、浄化部１０の本体１１および排気部２０の本体２１全体を収容しておくケースＣを設けておいてもよい。かかる構造とすれば、プレート１ａを、浄化部１０の本体１１および排気部２０の本体２１の上端に取り付け、樹脂製バンドなどをプレート１ａとケースＣに巻きかけるように取り付ければ、プレート１ａとケースＣをしっかりと固定しておくことができる。つまり、フィルタケース１４が浄化部１０の本体１１から脱落しないように、フィルタケース１４を浄化部１０の本体１１内に確実に保持させておくことができる。
【００６０】
＜紫外線照射部４０の他の例＞
上記例では、吸引手段収容部１５ｈ内に紫外線照射部４０を設けた例を示した。この場合、紫外線照射部４０の交換やメンテナンスをする場合には、浄化部１０の本体１１を取り外す必要がある。
【００６１】
一方、吸引手段収容部１５ｈ内と分離され、外部と連通された紫外線照射部配置空間４１ｈを設け、この紫外線照射部配置空間４１ｈ内に紫外線照射部４０を設ければ、紫外線照射部４０の交換やメンテナンスが容易になる。
【００６２】
例えば、図５および図７に示すように、吸引手段収容部１５ｈに、吸引手段収容部１５ｈを貫通するように断面矩形の分離壁４１ｈを設ける。具体的には、内部に浄化部１０の本体１１の側面間（図６の上下方向の側面）を貫通する紫外線照射部配置空間４１ｈを有する分離壁４１ｈを設ける。この分離壁４１ｈを、紫外線を透過する材料によって形成する。
【００６３】
かかる構造とすれば、紫外線照射部配置空間４１ｈ内に、紫外線照射部配置空間４１ｈと外部とを連通する着脱開口４１ａを通して、紫外線照射部４０を挿入離脱可能に収容することができる。そして、分離壁４１ｈを透過した紫外線によって、フィルタ１２や空気を浄化することができる。すると、浄化部１０の本体１１を取り外さなくても、脱開口４１ａを通して紫外線照射部配置空間４１ｈに挿入離脱させれば、紫外線照射部４０を取り外したり、取り付けたりできるので、紫外線照射部４０の交換やメンテナンスが容易になる。
【００６４】
＜浄化槽５０＞
排出される空気をより高度に浄化した状態にする上では、外部に空気を排気する前に、浄化液に空気を接触させることが望ましい。例えば、図９に示すように、浄化液を含侵させた浄化部材５１を内蔵する浄化槽５０を設けて、配管Ｐ２を介して浄化部１０から排気された空気を浄化槽５０に供給すれば、排出される空気を浄化することができる。
【００６５】
図１０に示すように、浄化槽５０の一方の側面には、流入口５０ａが設けられており、その他方の側面に空気の流出口５０ｂが設けられている。この浄化槽５０の内部には、流入口５０ａと流出口５０ｂとを連通する空間５０ｈが設けられている。この空間５０ｈ内には、複数の仕切り板５０ｓが設けられており、この複数の仕切り板５０ｓによって流入口５０ａと流出口５０ｂとの間に空気が蛇行して通過する流路が形成されるようになっている（図１０（Ｂ）参照）。しかも、隣接する仕切り板５０ｓ間には、不織布等の液体を含侵できる浄化部材５１がそれぞれ配置されており、この浄化部材５１には浄化液が含侵されている。したがって、流入口５０ａから流入した空気は、浄化部材５１を透過して流出口５０ｂから排出されるが、浄化部材５１を透過する際に、浄化部材５１に含侵されている浄化液と接触する。すると、浄化液によっても空気を浄化できるので、空気をより浄化した状態で外部に排出することができる。
【００６６】
また、浄化部材５１に含侵している浄化液が蒸発して、浄化部材５１に乾燥した部分ができると、その部分を通過した空気は浄化液で浄化されない状態で排出されることになる。この様な状態を防ぐ上では、浄化部材５１を適宜交換する必要がある。かかる問題を解消する上では、浄化部材５１に浄化液を供給する機構を浄化槽５０に設けておくことが望ましい。
【００６７】
例えば、浄化槽５０の内部に、浄化液を貯留することができる貯留空間（図１０（Ａ）のハッチングされている空間）を設けておき、この貯留空間内の浄化液を貯留し、貯留空間内の浄化液に浄化部材５１の下端が浸漬された状態とする。この場合、浄化液が存在している間は、浄化部材５１に浄化液が含侵された状態を維持できるので、長期間、浄化部材５１を交換しないでも空気を浄化する機能を維持できる。
【００６８】
なお、浄化部材５１に含侵させる浄化液はとくに限定されないが、ウイルスなどを死滅させたり活性を弱めたりすることができるものが望ましい。
【００６９】
また、上記例では、浄化槽５０の流入口５０ａと排気部２０の排出口２０ｂとを配管Ｐ２によって連通した場合を説明したが、浄化槽５０を排気部２０の本体２１の空間２０ｈ内に配置してもよい。
【００７０】
＜空気浄化装置の素材について＞
上述した空気浄化装置の各部を構成する素材はとくに限定されないが、装置各部の構造物（壁を形成する部材など）を段ボールなどのように焼却処理することができる素材で形成されていれば、使用した空気浄化装置の処理が容易になるので好ましい。具体的には、使用した空気浄化装置からフィルタケース１４と吸引手段１５を取り外せは、そのまま焼却処理できるので、処理が容易になる
なお、フィルタケース１４は、処理する際にフィルタ１２ごとアルコールなどに浸漬して殺菌処理をすることが好ましい。すると、アルコール浸漬処理を行っている間もフィルタ１２を確実に保持しておけるものが望ましい。したがって、フィルタケース１４は、樹脂やアルミなどのように軽量かつある程度強度を保てる素材によって形成しておくことが好ましく、この場合には、フィルタ１２を安全に殺菌処理できるから、殺菌処理後のフィルタ１２およびフィルタケース１４の廃棄も容易になる。
【産業上の利用可能性】
【００７１】
本発明の空気浄化装置は、例えば老人福祉施設や病院、企業や大学などの研究施設や養鶏場・養豚場・牛の飼育場等において、室内の空気を浄化する装置や、ウイルス等が蔓延している場所で作業を行う作業者が使用する空気浄化装置に適している。また、大規模地震が大都会で発生した場合など、劣悪な環境で作業する人々を危険な粉じんから守ることができる。
【符号の説明】
【００７２】
１          空気浄化装置
１０          浄化部
１２          フィルタ
１５          吸引手段
２０          排気部
３０          気流形成部
４０          紫外線照射部
４１          分離壁
４１ｈ        紫外線照射部配置空間
４１ａ        着脱開口
５０          浄化槽
５１          浄化部材
【要約】
【課題】カバー内を外部から気密に隔離した状態に維持できる隔離用カバーを提供する。
【解決手段】ボトムプレートＢＰが変形するベッドに設けられる隔離用カバーであって、カバーＣ１は、天板シートＳ１と、ベースシートＳ３と、ベースシートＳ３と天板シートＳ１との間を連結する側方シートＳ２と、を備えており、ベースシートＳ３は、ボトムプレートＢＰが変形した際に、側方シートＳ２との間に外部と連通する開口Ｓｈが形成されない構造を有している。リクライニング機能等を有するベッドであっても、カバーＣ１内を外部から気密に隔離した状態に維持できる。
【選択図】図１１【図１】
0006906261.tif 000002
【図２】
0006906261.tif 000003
【図３】
0006906261.tif 000004
【図４】
0006906261.tif 000005
【図５】
0006906261.tif 000006
【図６】
0006906261.tif 000007
【図７】
0006906261.tif 000008
【図８】
0006906261.tif 000009
【図９】
0006906261.tif 000010
【図１０】
0006906261.tif 000011
【図１１】
0006906261.tif 000012
【図１２】
0006906261.tif 000013